(57)【要約】      （修正有）【課題】一対の面ファスナーにより帯板部の着用者の腰への着脱を簡易に行うことができ、かつ、巻始側の面ファスナーと上記帯板部との間に介装されている巻き方向に伸縮可能な弾性材が存在することにより着用者の胴のサイズに対する適応性、密着性や適度な締め付け強さを得ることができ、位置ずれやずり落ちを防ぐことができると共に適度な圧迫感を得て腰へのフィット感を高めることができる軽装帯を提供する。【解決手段】胴巻用の帯板部１及びお太鼓部２からなり、帯板部のお太鼓部側の一方端部及び帯板部の巻始側Ｋの他方端部に相互に着脱自在な一対の面ファスナー３ａ・３ｂをそれぞれ設けてなり、巻始側の面ファスナーと帯板部との間に巻き方向に伸縮可能な弾性材４を介装して構成する。【選択図】図１
0003153407.tif 000002
【実用新案登録請求の範囲】
【請求項１】
胴巻用の帯板部及びお太鼓部からなり、該帯板部のお太鼓部側の一方端部及び帯板部の巻始側の他方端部に相互に着脱自在な一対の面ファスナーをそれぞれ設けてなり、上記巻始側の面ファスナーと上記帯板部との間に巻き方向に伸縮可能な弾性材を介装してなることを特徴とする軽装帯。
【請求項２】
上記弾性材は幅広の板状ゴムであることを特徴とする請求項１記載の軽装帯。
【請求項３】
少なくとも上記巻始側の面ファスナーは、メッシュ状の合成樹脂板材により形成されていることを特徴とする請求項１又は２記載の軽装帯。
【請求項４】
上記弾性材は折り返し状に形成され、該弾性材の折り返し両端部を上記帯板部に止着し、弾性材の一方の折り返し面に上記巻始側の面ファスナーを止着してなることを特徴とする請求項１〜３のいずれか１項に記載の軽装帯。
【考案の詳細な説明】
【技術分野】
【０００１】
本考案は、例えば、友達同士の集まり、宴会、長期旅行などにおいて、気軽に、簡易に、身軽に装える和服用の軽装帯に関するものである。
【背景技術】
【０００２】
従来、この種の軽装帯として、胴巻用の帯板部及びお太鼓部からなり、帯板部とお太鼓部とを一体にした一部式軽装帯や帯板部とお太鼓部とを別体にした二部式軽装帯が知られている。
【０００３】
この帯板部のお太鼓部側の一方端部及び帯板部の巻始側の他方端部に相互に着脱自在な一対の面ファスナーを設けてなる構造のものが知られている。
【先行技術文献】
【特許文献】
【０００４】
【特許文献１】実用新案登録第３０５７８２９号公報
【考案の概要】
【考案が解決しようとする課題】
【０００５】
しかしながらこの従来構造の場合、一対の面ファスナーを用いる構造のため、帯板部の着用者の腰への着脱を簡易に行うことはできるが、着用者の胴のサイズに対する適応性、密着性や適度な締め付け強さを得ることができず、位置ずれやずり落ちが生じたり、適度な圧迫感が得られず、腰へのフィット感が低下したりすることがあるというという不都合を有している。
【課題を解決するための手段】
【０００６】
本考案はこれらの不都合を解決することを目的とするもので、本考案のうちで、請求項１記載の考案は、胴巻用の帯板部及びお太鼓部からなり、該帯板部のお太鼓部側の一方端部及び帯板部の巻始側の他方端部に相互に着脱自在な一対の面ファスナーをそれぞれ設けてなり、上記巻始側の面ファスナーと上記帯板部との間に巻き方向に伸縮可能な弾性材を介装してなることを特徴とする軽装帯にある。
【０００７】
又、請求項２記載の考案は、上記弾性材は幅広の板状ゴムであることを特徴とするものであり、又、請求項３記載の考案は、少なくとも上記巻始側の面ファスナーは、メッシュ状の合成樹脂板材により形成されていることを特徴とするものであり、又、請求項４記載の考案は、上記弾性材は折り返し状に形成され、該弾性材の折り返し両端部を上記帯板部に止着し、弾性材の一方の折り返し面に上記巻始側の面ファスナーを止着してなることを特徴とするものである。
【考案の効果】
【０００８】
本考案は上述の如く、請求項１記載の考案にあっては、一対の面ファスナーにより帯板部の着用者の腰への着脱を簡易に行うことができ、かつ、巻始側の面ファスナーと上記帯板部との間に介装されている巻き方向に伸縮可能な弾性材が存在することにより、着用者の胴のサイズに対する適応性、密着性や適度な締め付け強さを得ることができ、位置ずれやずり落ちを防ぐことができると共に適度な圧迫感を得て腰へのフィット感を高めることができる。
【０００９】
又、請求項２記載の考案にあっては、上記弾性材は幅広の板状ゴムであるから、着用者の胴のサイズに対する適応性を高めることができ、又、請求項３記載の考案にあっては、少なくとも上記巻始側の面ファスナーは、メッシュ状の合成樹脂板材により形成されているから、軽量、通気性、適度な硬さを得ることができ、又、請求項４記載の考案にあっては、上記弾性材は折り返し状に形成され、弾性材の折り返し両端部を帯板部に止着し、弾性材の一方の折り返し面に巻始側の面ファスナーを止着してなるから、巻き始めは一枚の弾性材の引張力で引っ張ることができ、固定時は二枚分の引張力で固定することができ、それだけ着用者の胴への密着性を高めることができ、適度な圧迫感を得て腰へのフィット感を高めることができる。
【図面の簡単な説明】
【００１０】
【図１】本考案の実施の形態例の全体斜視図である。
【図２】本考案の実施の形態例の全体斜視図である。
【図３】本考案の実施の形態例の全体平面図である。
【図４】本考案の実施の形態例の全体平面図である。
【図５】本考案の実施の形態例の使用状態図である。
【考案を実施するための形態】
【００１１】
図１乃至図５は本考案の実施の形態例を示し、１は胴巻用の帯板部、２はお太鼓部であり、この場合、帯板部１とお太鼓部２とが一体の一部式帯となっており、この帯板部１のお太鼓部２側の一方端部及び帯板部１の巻始側Ｋの他方端部に相互に着脱自在な一対の面ファスナー３ａ・３ｂがそれぞれ設けられている。
【００１２】
４は弾性材であって、この場合、着用者Ｗの胴に対する巻き方向に伸縮可能な幅広の板状ゴム、いわゆる和裁用の幅広ゴムが用いられ、上記巻始側の面ファスナー３ｂと上記帯板部１との間に介装されている。
【００１３】
この場合、図１、図４に示す如く、上記弾性材４は折り返し状に形成され、この弾性材４の折り返し両端部４ａ・４ａを帯板部１にそれぞれ縫成などにより止着し、弾性材４の外面側の一方の折り返し面Ｆに巻始側Ｋの面ファスナー３ｂを縫成などにより止着して構成している。
【００１４】
又、この場合、少なくとも上記巻始側Ｋの面ファスナーは、メッシュ状（網目状）のナイロン材からなる合成樹脂板材により形成され、例えば、ビニロン、ポリエチレン、ポリプロピレン、ポリエステルなどの合成樹脂製のものを用いることもある。
【００１５】
この実施の形態例は上記構成であるから、一対の面ファスナー３ａ・３ｂにより帯板部１の着用者Ｗの腰への着脱を簡易に行うことができ、かつ、巻始側Ｋの面ファスナー３ｂと上記帯板部１との間に介装されている巻き方向に伸縮可能な弾性材４が存在することにより、例えば年齢の増加などに伴う着用者Ｗの胴のサイズに対する適応性、密着性や適度な締め付け強さを得ることができ、位置ずれやずり落ちを防ぐことができると共に適度な圧迫感を得て腰へのフィット感を高めることができる。
【００１６】
この場合、上記弾性材４は幅広の板状ゴムであるから、着用者Ｗの胴のサイズに対する適応性を高めることができ、又、この場合、少なくとも上記巻始側Ｋの面ファスナー３ｂは、メッシュ状の合成樹脂板材により形成されているから、軽量、通気性、適度な硬さを得ることができ、又、この場合、上記弾性材４は折り返し状に形成され、弾性材４の折り返し両端部４ａ・４ａを帯板部１に止着し、弾性材４の一方の折り返し面Ｆに巻始側Ｋの面ファスナー３ｂを止着してなるから、巻き始めは一枚の弾性材４の引張力で引っ張ることができ、固定時は二枚分の引張力で固定することができ、それだけ着用者Ｗの胴への密着性を高めることができ、適度な圧迫感を得て腰へのフィット感を高めることができる。
【００１７】
尚、本考案は上記の形態例に限られるものではなく、上記帯板部１、お太鼓部２、面ファスナー３ａ・３ｂ、弾性材４の材質や形態、構造等は適宜変更して設計されるものである。
【００１８】
以上の如く、所期の目的を充分達成することができる。
【符号の説明】
【００１９】
Ｋ    巻始側
Ｆ    折り返し面
１    帯板部
２    お太鼓部
３ａ    面ファスナー
３ｂ    面ファスナー
４    弾性材
４ａ    折り返し両端部
【図１】
0003153407.tif 000003
【図２】
0003153407.tif 000004
【図３】
0003153407.tif 000005
【図４】
0003153407.tif 000006
【図５】
0003153407.tif 000007